(57)【要約】【課題】表面に凹みを有する被塗材の表面を平坦化するために必要な目留め剤の使用量を抑えることができる木質材の表面処理方法を提案する。【解決手段】本発明の木質材の表面処理方法は、転写部材１上に硬化性目留め剤３を塗布し、この塗布された硬化性目留め剤３を半硬化させ、この半硬化させた硬化性目留め剤３を介して転写部材１を木質の被塗材２の表面２０に貼り付ける。そして、この貼り付けた硬化性目留め剤３を硬化させ、この硬化させた硬化性目留め剤３から転写部材１を剥離させる。【選択図】図１
2013220535.tif 000002
【特許請求の範囲】
【請求項１】
転写部材上に硬化性目留め剤を塗布し、
この塗布された硬化性目留め剤を半硬化させ、
この半硬化させた硬化性目留め剤を介して前記転写部材を木質の被塗材の表面に貼り付け、
この貼り付けた硬化性目留め剤を硬化させ、
この硬化させた硬化性目留め剤から前記転写部材を剥離させることを特徴とする木質材の表面処理方法。
【請求項２】
前記硬化性目留め剤は、ＵＶ硬化性であり、ＵＶ硬化装置によって半硬化または硬化されることを特徴とする請求項１に記載の木質材の表面処理方法。
【請求項３】
前記転写部材は、ＵＶ透過性フィルムであることを特徴とする請求項２に記載の木質材の表面処理方法。
【発明の詳細な説明】
【技術分野】
【０００１】
本発明は、木質材の表面処理方法に関する。
【背景技術】
【０００２】
パーティクルボードや合板等の木質材の側端面は、木質材の小片が抜けたり、重ね合わせた板間に隙間ができたりして、部分的に凹んでいる場合が多い。そのため、こういった木質材の側端面には、目留め剤が塗布されて凹みが埋められる。
【０００３】
特許文献１には、パーティクルボードや合板等の木質材からなる被塗材の表面に、目留め処理を行った上で着色塗布して化粧層を形成することや、目留め処理を行った上で紙や樹脂フィルムからなる化粧シートを貼り付けて化粧層を形成することが開示されている。
【先行技術文献】
【特許文献】
【０００４】
【特許文献１】特開平１１−１１４９２０号公報
【発明の概要】
【発明が解決しようとする課題】
【０００５】
上述のように目留め剤で凹みを埋めるためには、被塗材の表面全体に塗布する目留め剤の厚みを増やすことが考えられる。
【０００６】
しかし、これでは、被塗材の表面のうち、凹みのない平坦な部分に塗布する目留め剤の厚みまで増やすこととなり、目留め剤を無駄に消費してしまう。
【０００７】
そこで、上記事情を鑑みて、本発明は、表面に凹みを有する被塗材の表面を平坦化するために必要な目留め剤の使用量を抑えることができる木質材の表面処理方法を提案することを課題とする。
【課題を解決するための手段】
【０００８】
上記課題を解決するために本発明の木質材の表面処理方法は、転写部材上に硬化性目留め剤を塗布し、この塗布された硬化性目留め剤を半硬化させ、この半硬化させた硬化性目留め剤を介して前記転写部材を木質の被塗材の表面に貼り付け、この貼り付けた硬化性目留め剤を硬化させ、この硬化させた硬化性目留め剤から前記転写部材を剥離させることを特徴とする。
【０００９】
また、前記硬化性目留め剤は、ＵＶ硬化性であり、ＵＶ硬化装置によって半硬化または硬化されることが好ましい。
【００１０】
また、前記転写部材は、ＵＶ透過性フィルムであることが好ましい。
【発明の効果】
【００１１】
本発明によると、表面に凹みを有する被塗材の表面上に、半硬化させた硬化性目留め剤を貼り付け、この半硬化させた硬化性目留め剤を硬化させて、この表面上に略平坦な硬化層を形成できる。これにより、本発明では、被塗材の表面の凹みに目留め剤を入り込み難くすることができる。よって、本発明では、被塗材の表面に塗布する目留め剤の厚みを、凹みを埋めるために全体的に増やす必要がなく、表面に凹みを有する被塗材の表面を平坦化するために必要な目留め剤の使用量を抑えることができる。
【図面の簡単な説明】
【００１２】
【図１】本発明の実施形態の木質材の表面処理方法の処理手順を示す説明図である。
【発明を実施するための形態】
【００１３】
以下、本発明の実施形態について添付図面に基づいて説明する。
【００１４】
図１には、本実施形態の木質材の表面処理方法を利用した木質の被塗材２の表面２０の処理手順が示されている。
【００１５】
被塗材２は、パーティクルボードや合板等の板状をした木質材である。被塗材２は、側端面（本実施形態では木口となる表面２０）に、木質材の小片が抜けたり、重ね合わせた板間に隙間ができたりして形成された凹みを複数有する。本実施形態では、被塗材２は、平面視略矩形状をなしている。
【００１６】
本実施形態の木質材の表面処理方法では、まず、転写部材１の転写面に、硬化性目留め剤３を塗布する。このとき、硬化性目留め剤３は、被塗材２の表面２０の面積に応じたサイズで所定の厚みとなるように、転写部材１の転写面に塗布される。
【００１７】
本実施形態では、転写部材１は、ＵＶ（紫外線）透過性を有する透明キャリアフィルムであり、例えば、ポリエチレンテレフタレート（ＰＥＴ），ポリプロピレン（ＰＰ）などの難接着材である。なお、転写部材１は、その他の部材で形成されてもよく、その場合、転写面には、硬化性目留め剤３の剥離性を高めるための剥離促進層が形成されることが好ましい。
【００１８】
また、硬化性目留め剤３は、本実施形形態では、ＵＶ硬化性であり、ＵＶランプ等のＵＶ硬化装置４からの光（紫外線）によって、半硬化または硬化される。なお、硬化性目留め剤３は、熱硬化性であってもよく、その場合、ヒータなどの発熱装置によって、半硬化または硬化可能である。硬化性目留め剤３としては、熱硬化性やＵＶ硬化性のアクリル系樹脂やエポキシ系樹脂が好適に用いられる。硬化性目留め剤３は、ロールコータ等の塗装装置（図示せず）によって、転写部材１の転写面に、均一且つ平滑に塗布される。
【００１９】
上述のように転写部材１の転写面に、硬化性目留め剤３を塗布した後、ＵＶ硬化装置４によって、この転写面上で硬化性目留め剤３を半硬化させる。このとき、硬化性目留め剤３は、転写部材１を介さずに直接、ＵＶ硬化装置４からの光（紫外線）が当てられて、半硬化されることが好ましい。なお、ＵＶ硬化装置４からの光（紫外線）を、転写部材１を通過させて、硬化性目留め剤３に当てるようにしてもよい。
【００２０】
次に、半硬化させた硬化性目留め剤３を転写部材１ごと、被塗材２の表面２０に貼り付ける。そして、この貼り付けた硬化性目留め剤３をＵＶ硬化装置４によって硬化させる。このとき、ＵＶ硬化装置４は、転写部材１の転写面と反対側の面からＵＶ照射して、転写面にある硬化性目留め剤３を硬化させる。このように、転写部材１の転写面と反対側の面からＵＶ照射することによって、厚みの薄い方向からＵＶ照射することができる。そのため、硬化性目留め剤３全体を均一に硬化させやすく、また、短時間での硬化が可能となる。
【００２１】
次に、被塗材２の表面２０上で硬化させた硬化性目留め剤３から転写部材１を剥離させる。
【００２２】
以上のようにして被塗材２の表面２０に対しての処理が終わると、被塗材２の表面２０上には、全長に亘って略平坦な硬化層が形成される。
【００２３】
このように、本実施形態では、表面２０に硬化性目留め剤３を塗布するにあたって、表面２０に硬化性目留め剤３を直接噴き付けるのではなく、一旦、転写部材１上で硬化性目留め剤３を半硬化したうえで、この半硬化させた硬化性目留め剤３を表面２０に転写している。これにより、表面２０の凹みの奥に硬化性目留め剤３が入り込むことを抑制できる。そのため、表面２０に凹みを有する被塗材２の表面２０を平坦化するにあたって、この表面２０全体に塗布する目留め剤の厚みを凹みを埋めるために全体的に増やす必要がなく、目留め剤の使用量を抑えることができる。
【００２４】
以上のように、本実施形態の木質材の表面処理方法は、転写部材１上に硬化性目留め剤３を塗布し、この塗布された硬化性目留め剤３を半硬化させ、この半硬化させた硬化性目留め剤３を介して転写部材１を木質の被塗材２の表面２０に貼り付ける。そして、この貼り付けた硬化性目留め剤３を硬化させ、この硬化させた硬化性目留め剤３から転写部材１を剥離させる。
【００２５】
このように、一旦、転写部材１上に塗布した硬化性目留め剤３を半硬化させ、この半硬化させた硬化性目留め剤３を木質の被塗材２の表面２０に貼り付けるようにしたことで、この硬化性目留め剤３が、被塗材２の表面２０に有する凹みに落ち込むことを抑制できる。そして、この被塗材２の表面２０に貼り付けた硬化性目留め剤３を硬化させることで、この表面２０に平坦な硬化層が形成される。そして、硬化性目留め剤３を硬化させた後で、不要となる転写部材１は剥離させることで、表面２０が平坦となった木質の被塗材２を形成することができる。以上のように、本実施形態では、従来例にように、木質の被塗材２の表面２０に目留め剤を塗布するにあたって、硬化前の柔らかい目留め剤を、凹みを埋めることができるように全体的に厚みを増やして塗布しなくてもよい。よって、本実施形態では、目留め剤（硬化性目留め剤３）の使用量を抑制でき、そのうえで木質の被塗材２の表面２０を平坦化することができる。
【００２６】
また、本実施形態の木質材の表面処理方法では、硬化性目留め剤３は、ＵＶ硬化性であり、ＵＶ硬化装置４によって半硬化または硬化されることを特徴とする。
【００２７】
このようにＵＶ硬化を用いることによって、熱硬化に比べて、硬化性目留め剤３の半硬化や硬化を短時間で行うことができる。そのため、被塗材２の表面２０に有する凹みへの硬化性目留め剤３の落ち込みを抑制でき、且つ工程時間の短縮も図れる。
【００２８】
また、本実施形態の木質材の表面処理方法では、転写部材１は、ＵＶ透過性フィルムであることを特徴とする。
【００２９】
このように転写部材１がＵＶ透過性フィルムであることで、転写部材１にＵＶ硬化装置４の光を通して、ＵＶ硬化を行うことができ、硬化性目留め剤３を全体的に均一に硬化させやすくなる。
【００３０】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００３１】
１      転写部材
２      被塗材
３      硬化性目留め剤
４      ＵＶ硬化装置
２０    表面
【図１】
2013220535.tif 000003